(57)【要約】【課題】  背面から茎固定部材や花の茎が外部から見えないようにするとともに、手鏡を持ち歩くことができない状況下において、自分を映し見たいという使用者の欲求を満足させることのできるブーケ支持具を提供する。【解決手段】  ブーケ支持具（１）を、正面視所望形状の支持板（３）と、当該支持板を腕から吊り下げさせるために当該支持板に設けた腕掛け具（７）と、当該支持板の一方の面上中心領域に設けた茎固定部材（１１）と、を含めて構成してある。支持板が茎固定部材を背面から覆い、これにより、茎固定部材や花の茎が背面から見えなくする。当該支持板の他方の面の少なくとも一部を鏡面により構成してあり、これにより、使用者が自分の顔や容姿を映し見することができる。【選択図】  図２
0003114408.tif 000002
【実用新案登録請求の範囲】
【請求項１】
一方の面と他方の面とを有する正面視所望形状の支持板と、
当該支持板を腕から吊り下げさせるために当該支持板に一体に設けた又は取付構造を介して取り付けた腕掛け具と、
当該支持板の一方の面上中心領域に一体に設けた又は固定構造を介して固定した茎固定部材と、を含めて構成してあり、
当該支持板の他方の面の少なくとも一部を鏡面により構成してある
ことを特徴とするブーケ支持具。
【請求項２】
前記取付構造が、前記腕掛け具を前記支持板に対して着脱可能となるように構成してある
ことを特徴とする請求項１記載のブーケ支持具。
【請求項３】
前記固定構造が、前記茎固定部材を前記支持板に対して着脱可能となるように構成してある
ことを特徴とする請求項１又は２記載のブーケ支持具。
【請求項４】
前記支持板の所望形状と、前記茎固定部材の正面視形状が相似形に形成してある
ことを特徴とする請求項１乃至３何れか記載のブーケ支持具。
【請求項５】
前記支持板の所望形状が円形に形成してあり、かつ、前記茎固定部材の形状が円形ドーム形状に形成してある
ことを特徴とする請求項４記載のブーケ支持具。
【請求項６】
前記腕掛け具を取り付けた前記支持板が、前記茎固定部材を上にした状態で平面上に載置可能に構成してある
ことを特徴とする請求項１乃至５何れか記載のブーケ支持具。
【請求項７】
請求項１乃至６記載のブーケ支持具における前記茎固定部材に花群を固定した状態で収納可能に構成したブーケ支持具の収納容器。
【考案の詳細な説明】
【技術分野】
【０００１】
本考案は、主として慶事において用いられるブーケを支持するためのブーケ支持具及びその収納容器に関するものである。
【背景技術】
【０００２】
これまで知られているブーケとして、例えば図９に示すブーケ（以下、「従来のブーケ」という）がある。従来のブーケ１０１は、たとえば、支持台１０３と、支持台１０３の正面（図９の紙面裏側）に取付片１１３，１１３を介して取り付けた発泡合成樹脂製の茎固定部材１０５と、支持台１０３に取り付けた取っ手１０７とから、概ね構成されている。茎固定部材１０５は、図９の紙面裏側から表側方向に想像線で示す花１１１の茎を挿すことによりそれらの花を支持させられるようになっている。他方、挿した花１１１の茎には、花自身の重みや花が何かに触れたときの負荷が加わるため、単に挿しただけでは、茎の並びに乱れが生じやすい。そこで、図９において符号１０９で示す針金を用い、支持台１０３、取っ手１０７に茎を固定する。従来のブーケを含む一般のブーケは、その用途は様々であるが、結婚式において新婦を飾るために用いられることが多い。本明細書における以下の記述は、新婦を飾るブーケを前提とする。
【考案の開示】
【考案が解決しようとする課題】
【０００３】
しかしながら、上述した従来のブーケは、新婦の正面に立つ者が、ブーケを正面から見たとき花や装飾等が美しく見えるのである。正面から見ていたブーケ１０１を今度は背面から見た場合には、正面からは見えなかった花や茎、装飾等を固定している茎固定部材１０５が見えたり、その茎固定部材１０５に茎や装飾等を挿している跡や針金１０９等の固定具が見えたりすることがよくある。これでは、ブーケ本来の美しさが損なわれてしまう。また、このようなブーケ１０１でも、新婦が動かないでいれば、正面に立つ者は正面に立ったままであるからブーケ１０１背面を新婦以外の第三者に見られることも少ない。ところが、たとえば、披露宴で行われるキャンドルサービスにおいて、新婦は、来賓等の座っている各テーブルを回らなければならない。このため、ごく近くで来賓客等にブーケ１０１の本当は見せたくない背面を見られてしまうこともあり得る。このような事態をいかにして防ぐか。これが、第１の課題である。
【０００４】
また、披露宴では、新婦は自分がどのように他人に見えるか、他人から見られているかが大きな関心ごとである。新婦は、披露宴の主人公だからである。そこで鏡を見たいと思う気持ちは、人一倍あるといえよう。しかし、披露宴に臨む新婦の手元には、見ようと思ってもそもそも鏡がない場合がほとんどである。新婦の身近に手鏡を置いておくことが考えられるが、手鏡は、これを落とすと割れたり壊れたりする。割れたり壊れたりすることは、新たなる「門出」に相応しくないとされている。このため、手鏡を新婦の手元に置くことは、一般には行われていない。このような事情がある中、自分を見たいという新婦の欲求を満たさせること。これが第２の課題である。
【課題を解決するための手段】
【０００５】
上述した課題を一挙に解決しようとした考案者は、腕から吊下げ可能な腕掛け具と茎固定部材に挿された花の茎を支持板で隠し、その支持板の一方の面を鏡面にして、新婦が自分の姿尾を映し見ることが出来るように構成した。支持板は、これを腕から吊下げさせておけば、単なる手鏡のように落下させることはない。新婦が、ブーケを手元に置いておくことは、極めて自然なことであるから、ブーケに鏡としての機能を併せ持たせれば、新婦はいつでも自分の顔や姿を映し見ることができる。本考案は、そのような観点からなされたものである。なお、何れかの請求項記載の考案の説明において行う用語の定義等は、その性質上可能な範囲において他の請求項記載の考案にも適用されるものとする。
【０００６】
（請求項１に記載した考案の特徴）
請求項１記載の考案に係るブーケ支持具（以下、適宜「請求項１の支持具」という）は、一方の面と他方の面とを有する正面視（正面から見たとき）所望形状の支持板と、当該支持板を腕から（手からも吊り下げ可能）吊り下げさせるために当該支持板に一体に設けた又は取付構造を介して取り付けた腕掛け具と、当該支持板の一方の面上中心領域に一体に設けた又は固定構造を介して固定した茎固定部材と、を含めて構成してある。上記構成を前提として、当該支持板の他方の面の少なくとも一部（全部でもよい）を鏡面により構成してある。支持板は、たとえば、それ自体を鏡により構成することもできるし、板状のものに鏡を貼り付けたもので構成することもできる。ブーケを構成する支持板の形状は、例えば円形、四角形、ハート形等どのような形状のものでもよい。ブーケの支持板は、ブーケの裏面を見たときに、茎固定部材や針金等が見えない大きさが必要である。支持板に施された鏡面の大きさは、支持板と同等かそれより小さければ、どのような形のものでもよく、支持板を、例えば円形としたときに、支持板の円形よりも小さな円形、四角形、ハート形も含む。支持板背面のうち、鏡面としなかった部分には、たとえば、色彩や、リボンのような装飾品を施すことによりブーケの装飾性を保持することができる。鏡面の表面には、デザインした図柄等を施すことができる。この図柄等は、例えば鏡面上に縁取りした「寿」の文字やハートの線描き、結婚記念日等の文字等のような文字、図形、記号等を含む。
【０００７】
請求項１の考案によれば、茎固定部材が支持板中心領域に位置する。したがって、背面視したときに茎固定部材及びその周囲は支持板に隠れて見えない。茎固定部材に挿す花は様々であり茎の長さも様々であるが、茎固定部材に挿したときに支持板に隠れて見えないように花の茎を加工（カット）することにより、正面からは花により隠され、背面側からは支持板により隠されて、上記茎固定部材や茎が外部から見えなくなり、これによりブーケ本来が有する美しさを保持することができる。また、支持板の他方の面の少なくとも一部を鏡面により構成してあるので、新婦は、たとえば、鏡面を手前に向けた状態でブーケを前倒ししたり、ブーケを持ち上げることにより自分の顔や容姿を映し見て気楽に自分の顔や髪形等をチェックすることができる。したがって、たとえば、食事後の口元をチェックするためにわざわざ化粧室に行く必要もない。ブーケの前倒しや持ち上げであれば周囲の者がその動作に気付くことは稀であろうから、新婦は披露宴等の出席者に違和感を覚えさせることなく、自分のチェックを行うことができる。腕掛け具は、新婦がそれを腕に掛けることによりブーケ全体を吊り下げることができる。腕からの吊り下げを可能にすることにより、ブーケ落下の恐れが少なくなり、ブーケを持たせつつも新婦の両手を空けさせることができる。したがって、ブーケ落下により支持板の鏡面を壊すことがない。また、たとえば、キャンドルサービスの際にブーケを手元から離すことなくキャンドルを持つことができるから、たいへん便利である。
【０００８】
（請求項２記載の考案の特徴）
請求項２記載の考案に係るブーケ支持具（以下、適宜「請求項２の支持具」という）では、請求項１の支持具の基本的構成を備えさせた上で、前記取付構造が、前記腕掛け具を前記支持板に対して着脱可能（取り付け取り外し可能）となるように構成してある。
【０００９】
請求項２の支持具によれば、請求項１の支持具の作用効果に加え、腕掛け具は、これを支持板に対して取り付け、取り付けてあったものを取り外すことができる。茎固定部材に花の茎を挿す前後を問わない。腕掛け具の着脱可能性は、ブーケ使用の前後、特に使用前においてブーケ全体の小型化を実現する。つまり、腕掛け具を支持板に固定すれば相応の大きさとならざるを得ないが、これを固定せずに支持板の上に重ねておく等により固定したときよりもブーケ全体を小型化することができる。
【００１０】
（請求項３記載の考案の特徴）
請求項３記載の考案に係るブーケ支持具（以下、適宜「請求項３の支持具」という）では、請求項１又は２の支持具の基本的構成を備えさせた上で、前記固定構造が、前記茎固定部材を前記支持板に対して着脱可能となるように構成してあることを特徴とする。すなわち、ブーケの製作前（花を茎固定部材に挿す前）だけでなく、ブーケの製作後（花を茎固定部材に挿した後）であっても、茎固定部材を支持板に着脱可能に構成してある。
【００１１】
請求項３の支持具によれば、請求項１又は２の支持具の作用効果に加え、茎固定部材は、これを支持板に対して取り付け、取り付けてあったものを取り外すことができる。花の茎を挿す前後を問わない。花の茎を挿した茎固定部材を支持板に取り付けるようにすれば、花の茎を挿す作業が支持板に煩わされずに行うことができる。花の茎を挿した茎固定部材を支持板から取り外し、挿してある茎に針金を掛ける等の作業を行い、その後、再び支持板に取り付けることも可能になる。さらに、使用したブーケから花の茎が挿さったままの茎固定部材を取り外し、その茎固定部材を剣山の代わりにして花器等に入れ花飾りとしての利用も可能になる。
【００１２】
（請求項４記載の考案の特徴）
請求項４記載の考案に係るブーケ支持具（以下、適宜「請求項４の支持具」という）では、請求項１乃至３何れかの支持具の基本的構成を備えさせた上で、前記支持板の所望形状と、前記茎固定部材の正面視形状（正面から見たとき）が相似形に形成してある。すなわち、茎固定部材の正面視形状を拡大すると支持板の正面視形状と略同一となるように、茎固定部材及び支持板の形状を設定してある。
【００１３】
請求項４の支持具によれば、請求項１乃至３何れかの支持具の作用効果に加え、茎固定部材外郭と支持板外郭とを相似形にしてあるので、両者外郭間の距離が一定となる。ここで、茎と花弁とを合わせた長さが一定の花を、茎固定部材表面に対して一定の角度で一定の長さだけ挿し込めば、複数の花弁の外郭を支持板外郭に沿って並ばせることができる。花と花とを等間隔に挿したり、挿した花の先を揃えたりするためには熟練技術が必要だが、茎固定部材と支持板とを正面視相似形に形成しておけば、上述のように画一的な花挿しによって、特別な熟練技術を持ち合わせなくても、簡単に見栄えのよいブーケの製作が可能となる。上記作用効果は、茎と花弁とを合わせた長さを一定にすることが前提となるが、ブーケ製作者の好みやデザインや使用する花の種類等との兼ね合いから一定にしないで製作することもできる。
【００１４】
（請求項５記載の考案の特徴）
請求項５記載の考案に係るブーケ支持具（以下、適宜「請求項５の支持具」という）では、請求項４の支持具の基本的構成を備えさせた上で、前記支持板の所望形状（正面から見たとき）が円形に形成してあり、かつ、前記茎固定部材の形状が円形ドーム形状に形成してある。
【００１５】
請求項５の支持具によれば、請求項４の支持具の作用効果に加え、茎と花弁とを合わせた長さが一定の花を、ドーム形状の茎固定部材表面に対して一定の角度で一定の長さだけ挿し込めば、半球状のブーケを比較的簡単に製作することができる。半球状のブーケは、花の先を立体的に揃えなくてはならないので、その製作が一般的に難しいといわれている。
【００１６】
（請求項６記載の考案の特徴）
請求項６記載の考案に係るブーケ支持具（以下、適宜「請求項６の支持具」という）では、請求項１乃至５何れかの支持具の基本的構成を備えさせた上で、前記腕掛け具を取り付けた前記支持板が、前記茎固定部材を上にした状態で平面上に載置可能に構成してある。
【００１７】
請求項６の支持具によれば、請求項１乃至５何れかの支持具の作用効果に加え、本来であれば腕から吊り下げて使用するブーケを、そのままの状態で、テーブルの上面のような平面の上にそのまま載置することができる。ブーケはそもそも手で持つものであるから、手で持っているときは問題ないが、そのままではたいへん座りが悪いため平面上に載置すると花が寝てしまう等の不都合が考えられる。請求項６の支持具であれば、茎固定部材を上にした状態、すなわち、それに挿された花が茎固定部材から生えるようになった状態のまま載置することが可能になる。載置可能であれば、何らかの理由によりブーケを仮置きしなければならない場合や、使用済みのブーケをそのまま鑑賞用に流用することができるのでたいへん便利である。
【００１８】
（請求項７記載の考案の特徴）
請求項７記載の考案に係るブーケ支持具の収納容器（以下、適宜「請求項７の収納容器」という）は、請求項１乃至６記載のブーケ支持具における前記茎固定部材に花群を固定した状態で収納可能に構成してある。
【００１９】
請求項７の収納容器によれば、支持板に腕掛け具を取り付け、茎固定部材に花を挿してなるブーケを、そのまま収納することができる。収納容器に収納したブーケは、運搬や保管に際して花が物理的障害から保護され、これにより、ブーケを製作したときのままの状態で、新婦その他の関係者に届けることを可能にする。トラック便等を用いて地方発送する場合にも、花や支持具を傷つけることなく輸送することができるので、たいへん便利である。また、収納容器に収納させたまま、保温庫や保湿庫に保管することも可能であり、特に生花であれば、生き生きとした鮮度を保たせることが可能である。
【考案の効果】
【００２０】
本考案によれば、ブーケ背面から茎固定部材や花の茎が外部から見えないようにすることができ、ブーケが有する本来の美観を損なわせることがない。また、ブーケ支持具が備える支持板の一部が鏡面であることから、使用者はこの鏡面に自分の顔や姿を映し見することができる。手鏡を持ち歩くことができない状況下において、自分を映し見たいという使用者の欲求を満足させることができる。
【考案を実施するための最良の形態】
【００２１】
本考案を実施するための最良の形態（以下、「本実施形態」という）について図面を参照しながら説明する。図１は、本実施形態に係るブーケ支持具の使用状態を示す正面図である。図２は、図１に示すブーケ支持具の花を省略した正面図である。図３は、ブーケ支持具の拡大正面図である。図４は、図３に示すブーケ支持具のＡ−Ａ断面図である。図５は、ブーケ支持具を正面斜め下から見た図である。図６は、ブーケ支持具の背面図である。図７は、ブーケ支持具に花の茎を挿す様子を示す正面図である。図８は、収納容器に収納したブーケ（ブーケ支持具）の斜視図である。
【００２２】
（ブーケ支持具の概略構造）
図１乃至６を参照する。ブーケ支持具１は、これに花（花群）Ｆを支持させることによりブーケＢを製作するための器具であり、次に述べる概略構造を備えている。すなわち、ブーケ支持具１は、支持板３と、腕掛け具７と、茎固定部材１１と、により概ね構成してある。腕掛け具７は取付構造５を介して支持板３に取り付けであり、茎固定部材１１は固定構造９により支持板３の中心領域に固定してある。
【００２３】
（支持板の構造）
本実施形態における支持板３は、円形の片面鏡により構成してある。つまり、支持板３の一方の面（表面）は非鏡面であり茎固定部材１１を固定するための支持面３ａを構成し、同じく他方の面（背面）はその前面が鏡面３ｂを構成する。鏡面３ｂは、図６に示すように、そこに使用者が自分の顔や容姿を映し見ることができるようにするためのものである。鏡面３ｂの表面に図柄３ｐを印刷したり、たとえば、披露宴の日時を印刷（図示を省略）したりすることもできる。図柄等を印刷すると、その図柄等により鏡面３ｂの一部が被覆され鏡面ではなくなるが、使用者が自分の顔や容姿を映し見ることの妨げにならない範囲で行うことが好ましい。支持板３を円形に構成したのは、単なるデザイン上の理由に過ぎず、円形以外の形状、たとえば、楕円形や四角形の形状に形成することを妨げない。腕掛け具７は、合成樹脂製のリング形状の部材により構成してあり、その大きさは、図１に示すように、そのリングの中に腕を通してブーケＢ全体を腕から吊り下げられる大きさに形成する。腕から吊り下げられるように構成したのは、主として、使用者がブーケＢに対する注意を怠ったとしてもそれを落とすことのないようにするためと、ブーケＢを保持した状態で使用者の両手を空けさせるためである。
【００２４】
（腕掛け具の構造）
本実施形態における腕掛け具７は円形リング状に構成してあるが、この形状も製作者の好みや使用者の要望等に応じて適宜変更することができる。ここで、円形リング形状を採用したのは、上述した支持板３を円形に構成したことから、この支持板３とデザインを統一して調和感を醸し出そうとしたからである。ブーケＢ全体を吊り下げられる形状であれば、リング状以外の形状でもよい。たとえば、リングの一部を欠いたＣ字状や、逆さＵ字状の腕掛け具も、デザイン的に面白いといえよう。また、腕掛け具７の断面形状は、円形を潰したような扁平に形成してあるが、腕掛け機能を損なわない限りどのような形状でも構わない。また、腕掛け具７は、これを透明な合成樹脂により構成してあるが、透明でなくてもよい。単なる好みの問題だからである。合成樹脂を採用したのは、合成樹脂は、金属等に比べて軽量であり安価であるからであるから、腕掛け具７を構成するのに最適であると考えたからである。アルミニウムのような金属により構成することもできるし、構成素材とは無関係に図２において符号Ｒで示すようなリボン等を腕掛け具７の上に巻き付けてもよい。好みにもよるが、装飾性を高める効果が期待できるからである。
【００２５】
腕掛け具７を支持板３に取り付けるための取付構造５は、支持板３に貫通させた複数（本実施形態では４個）の取付孔３ｈ，・・と、取付孔３ｈ，・・を貫通させた針金１５により構成してある（図３、６参照）。取付孔３ｈは、２個づつ組にしたものを２箇所に設け、各組の２個の取付孔３ｈ，３ｈの間を腕掛け具７が通過するように配してある。すなわち、図３に示すように、支持板３の支持面３ａの上に一部重ねた円弧状の部分を挟む２個の取付孔３ｈ，３ｈを２箇所に設けてある。各組の２個の取付孔３ｈ，３ｈに、図６に示す鏡面３ｂ側から針金１５をＵ字に挿し込んで図３に示す支持面３ａ側に突き出させ、突き出した２本の針金１５の間に腕掛け具７を置き２本の針金１５を捩り合わせて腕掛け具７を支持板３に固定する。他の組の取付孔３ｈ，３ｈについても、これと同様に処理する。両方の組の処理が終了すれば、腕掛け具７の支持板３への取り付けが完了する。針金１５は、その捩りを戻せば、腕掛け具７を支持板３から簡単に取り外すことができる。つまり、取付構造５は着脱自在に構成してある。針金１５は、鏡面３ｂ上に露出することになるので、見栄えをよくするために、鏡面３ｂ上に露出した針金１５には装飾ビーズ１７，１７を被せて見えないようにしてある（図６参照）。装飾ビーズの代わりにリボン等を用いてもよい。
【００２６】
（茎固定部材の構造）
図３乃至５を参照する。茎固定部材１１は、ドーム形状の発泡材（スポンジ）２１と、発泡材２１を保持するための保持部材２３と、により基本構成してある。発泡材２１は、花の茎を挿し込むことができ、かつ、挿し込んだ茎を支持可能な部材である。発泡材２１は、吸水性のものが好ましい。特に生花を挿したときに、水を含ませた発泡材２１からその生花に給水すれば生花を長持ちさせることができるからである。ドライフラワー等の給水を必要としない花を使用する場合には、発泡材に水を含ませる必要がないことはいうまでもない。発泡材２１をドーム形状に形成したのは、支持板３を円形に構成したことと相俟って、発泡材２１の外郭形状と支持板３の外郭形状を頼りに花（茎）を挿せば半球状のブーケを製作しやすいからである。ブーケの形状は半球状に限るものではないが、半球状のブーケの製作が極めて難しいとされていることから、熟練者でなくてもそのような形状のブーケを簡単に製作できるようにするためである。保持部材２３は、発泡材２１をドーム形状に形成したことに合わせ、ザルを逆さにしたような形状の網体から構成してある。すなわち、図３に示すように、保持部材２３の頂部付近から複数の経線２３ａが放射状に麓に向って延び、それらの経線２３ａ，・・を大小円形の緯線２３ｂ，・・が連結している。これらの経線２３ａや緯線２３ｂ，・・は、半球状のブーケを製作する際に花の茎を挿す場所を示す重要な指針となる。
【００２７】
図３乃至５に基づいて固定構造９について説明する。固定構造９は、最も支持板３に近い緯線２３ｂから放射方向に突き出る複数（本実施形態では３個）のフランジ３１，・・と、支持板３の支持面３ａに固定した支持片３３，・・とから構成してある。各支持片３３は、図４に示すように、支持面３ａから起立する起立片３３ａと、起立片３３ａ上端から支持板３の中心方向に延びる横片３３ｂとからなる断面逆さＬ字上の部材である。横片３３ｂの下面（支持面３ａと対向する面）側には係止凹部３３ｃを形成してある。他方、フランジ３１の上面側には、上記係止凹部３３ｃに嵌合してフランジ３１を支持片３３に係止させるための係止凸部３１ａを形成してある。係止凸部と係止凹部は、前者と後者とを逆の位置に形成してもよい。支持片３３は、図３において、時計の３時、６時及び９時の位置に配してあるが、ここで、茎固定部材１１を、そのフランジ３１，・・を、同じく４時、７時及び１０時の位置に置いた状態で支持面３ａの上に置き、それぞれを３時、６時及び９時の位置に来るように時計回り方向に回転させれば、フランジ３１，・・がそれぞれ支持片３３，・・の下に入りこみ、さらに、係止凸部３１ａ，・・が係止凹部３３ｃ，・・に嵌合して茎固定部材１１が支持板３に固定される。茎固定部材１１を反時計回り方向に回せば、茎固定部材１１を支持板３から取り外すことができる。つまり、茎固定部材１１の回転のみにより、固定構造９の固定及びその解除を行うことができる。
【００２８】
（支持板の変形例）
図７を参照する。図７に示す支持板３´の支持面３´ａには、中心に向う複数の矢印３９，・・を円周方向等間隔に印刷形成してある。各矢印３９は、同図に示す花Ｆの茎３５を挿し込む方向を示している。茎３５と花弁３７とを合わせた長さが一定の花Ｆを、茎固定部材１１の表面に対して一定の角度で挿し込めるようにするための矢印である。ここで、茎３５を茎固定部材１１の中に一定の長さだけ挿し込めば、複数の花弁の外郭を支持板外郭に沿って並ばせることができる。花と花とを等間隔に挿したり、挿した花の先を揃えたりするためには熟練技術が必要だが、茎固定部材と支持板とを正面視相似形に形成しておけば、上述のように画一的な花挿しによって、特別な熟練技術を持ち合わせなくても、簡単に見栄えのよいブーケの製作が可能となる。
【００２９】
（収納容器の構造）
図８を参照する。収納容器４１は、蓋付き容器であって、ブーケ支持具１における茎固定部材（図８では花に隠れて見えない）に花Ｆを固定した状態で収納可能に構成してある。すなわち、収納容器４１の底部には、たとえば、発泡スチロール製の中敷４７を配してあり、その中敷４７の上に支持板３に腕掛け具７を取り付け、茎固定部材１１に花Ｆを挿してなるブーケＢを、そのまま収納することができる。中敷４７には、紐孔４３，・・を貫通させてあり、そこを貫通させた紐４５により腕掛け具７を中敷４７に締め付け固定してある。収納容器４１に収納したブーケＢは、運搬や保管に際して花Ｆが物理的障害から保護され、これにより、ブーケＢを製作したときのままの状態で、新婦その他の関係者に届けることを可能にする。トラック便等を用いて地方発送する場合にも、花や支持具を傷つけることなく輸送することができるので、たいへん便利である。また、収納容器４１に収納させたまま、図外の保温庫や保湿庫に保管することも可能であり、特に生花であれば、生き生きとした鮮度を保たせることが可能である。
【００３０】
なお、ブーケＢ（ブーケ支持具１）は、そのままテーブル等の平面状に座りよく載置することができる。ブーケはそもそも手で持つものではあるが、使用の最中に何らかの理由によりブーケを仮置きしなければならない場合や、使用済みのブーケをそのまま鑑賞用に流用することができるのでたいへん便利である。花を挿した茎固定部材１１を支持板３から外し、外した茎固定部材１１を花器（図示を省略）に入れ、鑑賞に供させることもできる。さらに、支持板３（３´）の支持面３ａ（３ａ´）とともに、鏡面側にも茎固定部材を設けることができる。ただし、その茎固定部材が鏡面を覆うことになるので、使用者が自分の顔や容姿を映し見ることに悪影響を与えない大きさ（形状）に形成する必要がある。さらに、支持板３（３´）と、腕掛け具７と、茎固定部材１１を、組み立て前の状態で、又は、組み立てた状態で適当な箱や袋に入れ、ブーケを製作するためのブーケ支持具セットとして提供すれば、これを手にした者は、花を用意すれば、自分の好みに合ったブーケを製作することができる。
【００３１】
本実施形態に係るブーケ支持具１によれば、茎固定部材１１が支持板３の支持面３ａ中心領域に位置する。したがって、支持板３の鏡面３ｂ側から見たときに茎固定部材１１及びその周囲は支持板に隠れて見えない。茎固定部材１１に挿す花は様々であり茎の長さも様々であるが、茎固定部材１１に挿したときに支持板３に隠れて見えないように花の茎を加工（カット）することにより、正面からは花により隠され、背面側からは支持板３により隠されて、茎固定部材１１や茎が外部から見えなくなり、これによりブーケＢが本来が有する美しさを保持することができる。また、支持板３の他方の面の少なくとも一部を鏡面３ｂにより構成してあるので、新婦は、たとえば、鏡面３ｂを手前に向けた状態でブーケＢを前倒ししたり、ブーケＢを持ち上げることにより自分の顔や容姿を映し見て気楽に自分の顔や髪形等をチェックすることができる。したがって、たとえば、食事後の口元をチェックするためにわざわざ化粧室に行く必要もない（図６参照）。腕掛け具７は、新婦がそれを腕に掛けることによりブーケＢ全体を吊り下げることができる。腕からの吊り下げを可能にすることにより、ブーケ落下の恐れが少なくなり、ブーケを持たせつつも新婦の両手を空けさせることができる。したがって、ブーケ落下により支持板の鏡面を壊すことがない。
【図面の簡単な説明】
【００３２】
【図１】本実施形態に係るブーケ支持具の使用状態を示す正面図である。
【図２】図１に示すブーケ支持具の花を省略した正面図である。
【図３】ブーケ支持具の拡大正面図である。
【図４】図３に示すブーケ支持具のＡ−Ａ断面図である。
【図５】ブーケ支持具を正面斜め下から見た図である。
【図６】ブーケ支持具の背面図である。
【図７】ブーケ支持具に花の茎を挿す様子を示す正面図である。
【図８】収納容器に収納したブーケ（ブーケ支持具）の斜視図である。
【図９】従来のブーケを表したブーケ正面図である。
【符号の説明】
【００３３】
１              ブーケ支持具
３，３´        支持板
３ａ，３´ａ    支持面
３ｂ            鏡面
３ｈ            取付孔
５              取付構造
７              腕掛け具
９              固定構造
１１              茎固定部材
１５              針金
１７              装飾ビーズ
２１              発泡材
２３              保持部材
２３ａ            経線
２３ｂ            緯線
３１              フランジ
３１ａ            係止凸部
３３              支持片
３３ａ            起立片
３３ｂ            横片
３３ｃ            係止凹部
３５              茎
３７              花弁
４１              収納容器
４３              紐孔
４５              紐
４７              中敷
１０１              ブーケ
１０３              支持台
１０５              茎固定部材
１０７              取っ手
１０９              針金
１１１              花
１１３              取付片
Ｂ                  ブーケ
Ｆ                  花（花群）
【図１】
0003114408.tif 000003
【図２】
0003114408.tif 000004
【図３】
0003114408.tif 000005
【図４】
0003114408.tif 000006
【図５】
0003114408.tif 000007
【図６】
0003114408.tif 000008
【図７】
0003114408.tif 000009
【図８】
0003114408.tif 000010
【図９】
0003114408.tif 000011